(57)【要約】【課題】冷却効果または加熱効果を強化できて、省エネ効果に優れること。【解決手段】制御ボックスと、空気供給チェンバーと、エアーコンプレッサー組とを含み、前記制御ボックスは、空気供給チェンバーと連結し、電源の供給をオン・オフし、前記エアーコンプレッサー組は、空気供給チェンバーと連結し、圧縮された空気を空気供給チェンバーに送入させ、前記空気供給チェンバーには冷却片と放熱フィンと冷却ファンとが設けてある空気供給機の空気供給構造において、前記空気供給チェンバーは、インテンク穴と、仕切片と、排気穴と、排水穴とを含み、前記インテンク穴と排気穴とがそれぞれ圧縮空気のインテンク・排出のために使用され、前記空気供給チェンバーに溜まった水は前記排水穴により排出され、空気通路を曲がりにするために、前記仕切片は前記空気供給チェンバーの内壁面の両側に交錯して設置される。【選択図】図２
0003120333.tif 000002
【実用新案登録請求の範囲】
【請求項１】
制御ボックスと、空気供給チェンバーと、エアーコンプレッサー組とを含み、前記制御ボックスは、エアーコンプレッサー組と連結し、電源の供給をオン・オフし、前記エアーコンプレッサー組は、空気供給チェンバーと連結し、圧縮された空気を空気供給チェンバーに送入させ、前記空気供給チェンバーの外面には冷却片と放熱フィンと冷却ファンとが設けてあり、圧縮された空気を加熱し又は冷却するための冷却片が制御ボックスと連結し、加熱または冷却された空気が外部に排出され、前記放熱フィンの放熱効果を向上するために、冷却ファンが設けてある空気供給機の空気供給構造において、
前記空気供給チェンバーは、インテンク穴と、仕切片と、排気穴と、排水穴とを含み、前記インテンク穴と排気穴とがそれぞれ圧縮空気のインテンク・排出のために使用され、前記空気供給チェンバーに溜まった水は前記排水穴により排出され、空気通路を曲がりにするために、前記仕切片は前記空気供給チェンバーの内壁面の両側に交錯して設置されることを特徴とする、
空気供給機の空気供給構造。
【請求項２】
前記空気供給チェンバーと前記エアーコンプレッサー組の間には、圧縮空気の輸送と冷却をするための湾折管が設けてあることを特徴とする、請求項１に記載の空気供給機の空気供給構造。
【請求項３】
圧縮空気の熱交換効果を向上するために、前記湾折管の外周面には放熱伝導片が設けてあることを特徴とする、請求項２に記載の空気供給機の空気供給構造。
【請求項４】
前記空気供給チェンバーの内部には温度センサーが設けてあり、前記温度センサーは、制御ボックスと電気的に連結し、前記空気供給チェンバーを通過する圧縮空気の温度を検知し、前記圧縮空気の温度が高すぎると、電気信号を前記制御ボックスに伝送して前記制御ボックスにより冷却片への電力供給を切り加熱を停止することを特徴とする、請求項１に記載の空気供給機の空気供給構造。
【請求項５】
前記排水穴は管体でエバポレータと連接し、前記エアーコンプレッサー組を冷却するための前記エバポレータが前記エアーコンプレッサー組の近傍に設置され、前記エバポレータの下方には前記エバポレータから流出する水を収集するための水収集盤が設けてあることを特徴とする、請求項１に記載の空気供給機の空気供給構造。
【考案の詳細な説明】
【技術分野】
【０００１】
本考案は、空気供給機の空気供給構造に係り、特に、冷却効果または加熱効果を強化できる空気供給機の空気供給構造に関するものである。
【背景技術】
【０００２】
まず、図５を参照する。従来の空気供給機９１は、装置の内部に、制御ボックス９２と、空気供給チェンバー９３と、エヤーポンプ９４とが設けてあり、前記制御ボックス９２内にはパワーサプライ９２１と制御スイッチ９２２が設けてあり、前記制御ボックス９２により、空気供給チェンバー９３内に設けた冷却片９３１とエヤーポンプ９４が作動され、冷却片９３１と、空気供給チェンバー９３の外部に設けた放熱フィン９３２とにより、前記空気供給チェンバー９３の内部は低温になり、エヤーポンプ９４により空気供給チェンバー９３の内部に送入された圧縮空気が冷却されて管体を経由して排気待機箇所９５まで輸送され、また、電源の極性を交換することにより、冷却片９３１の機能を冷却から加熱に変換し、加熱された圧縮空気が管体を経由して排気待機箇所９５まで輸送され、そうすると、空気供給機９１はヒーターまたはクーラーとすることができる。
【考案の開示】
【考案が解決しようとする課題】
【０００３】
しかしながら、圧縮空気が前記空気供給チェンバー９３を快速に通過するので、前記空気供給チェンバー９３の内部に圧縮空気を有効に冷却または加熱するために、ハイパワーの冷却片を使用することは必要になり、更に、放熱フィン９３２と冷却ファン９３３を使用することも必要になり、また、熱交換効果を更に向上しようとする場合には、冷却片のパワーを増加し、又は熱交換設備を増設することが必要であるが、製造コストは高くなり、且つハイパワーの冷却片９３１を使用すると、電力の消耗は大幅に増加する問題があった。
【０００４】
本考案の主な目的は、冷却効果または加熱効果を強化できる空気供給機の空気供給構造を提供する。
【課題を解決するための手段】
【０００５】
上記目的を達成するためになされた本願の考案は、制御ボックスと、空気供給チェンバーと、エアーコンプレッサー組とを含み、前記制御ボックスは、エアーコンプレッサー組と連結し、電源の供給をオン・オフし、前記エアーコンプレッサー組は、空気供給チェンバーと連結し、圧縮された空気を空気供給チェンバーに送入させ、前記空気供給チェンバーの外面には冷却片と放熱フィンと冷却ファンとが設けてあり、圧縮された空気を加熱し又は冷却するための冷却片が制御ボックスと連結し、加熱または冷却された空気が外部に排出され、前記放熱フィンの放熱効果を向上するために、冷却ファンが設けてある空気供給機の空気供給構造において、前記空気供給チェンバーは、インテンク穴と、仕切片と、排気穴と、排水穴とを含み、前記インテンク穴と排気穴とがそれぞれ圧縮空気のインテンク・排出のために使用され、前記空気供給チェンバーに溜まった水は前記排水穴により排出され、空気通路を曲がりにするために、前記仕切片は前記空気供給チェンバーの内壁面の両側に交錯して設置されることを特徴とする空気供給機の空気供給構造であることを要旨としている。
【０００６】
本願の考案では、前記空気供給チェンバーと前記エアーコンプレッサー組の間には、圧縮空気の輸送と冷却をするための湾折管が設けてあることを特徴とする請求項１に記載の空気供給機の空気供給構造であることを要旨としている。
【０００７】
本願の考案では、圧縮空気の熱交換効果を向上するために、前記湾折管の外周面には放熱伝導片が設けてあることを特徴とする請求項２に記載の空気供給機の空気供給構造であることを要旨としている。
【０００８】
本願の考案では、前記空気供給チェンバーの内部には温度センサーが設けてあり、前記温度センサーは、制御ボックスと電気的に連結し、前記空気供給チェンバーを通過する圧縮空気の温度を検知し、前記圧縮空気の温度が高すぎると、電気信号を前記制御ボックスに伝送して前記制御ボックスにより冷却片への電力供給を切り加熱を停止することを特徴とする請求項１に記載の空気供給機の空気供給構造であることを要旨としている。
【０００９】
本願の考案では、前記排水穴は管体でエバポレータと連接し、前記エアーコンプレッサー組を冷却するための前記エバポレータが前記エアーコンプレッサー組の近傍に設置され、前記エバポレータの下方には前記エバポレータから流出する水を収集するための水収集盤が設けてあることを特徴とする請求項１に記載の空気供給機の空気供給構造であることを要旨としている。
【考案の効果】
【００１０】
本考案に係る空気供給機の空気供給構造によれば、冷却効果または加熱効果を強化することができ、省エネ効果は優れる。
【考案を実施するための最良の形態】
【００１１】
以下、添付図面を参照して本考案の好適な実施の形態を詳細に説明する。
【００１２】
まず、図１乃至図４を参照する。本考案に係る実施例１の空気供給機の空気供給構造は、空気供給機１は制御ボックス２と空気供給チェンバー３とエアーコンプレッサー組４とを含み、前記制御ボックス２は、エアーコンプレッサー組３と連結し、電源の供給をオン・オフし、前記エアーコンプレッサー組３は、空気供給チェンバー４と連結し、圧縮された空気を空気供給チェンバー４に送入させ、加熱または冷却された圧縮空気が空気供給機１の外部に排出され、且つ前記空気供給チェンバー４の外面には冷却片５と放熱フィン６と冷却ファン７とが設けてあり、圧縮空気を加熱し又は冷却するための冷却片５が制御ボックス２と連結し、前記放熱フィン６の放熱効果を強化するために、冷却ファン７が設けてある。
【００１３】
前記空気供給チェンバー４は、インテンク穴４１と、仕切片４２と、排気穴４３と、排水穴４４とを含み、前記インテンク穴４１と排気穴４４とがそれぞれ圧縮空気のインテンク・排出のために使用され、前記空気供給チェンバー４に溜まった水は前記排水穴４４により排出され、前記排水穴４４は管体４４１でエバポレータ８１と連接し、前記エアーコンプレッサー組３を冷却するための前記エバポレータ８１が前記エアーコンプレッサー組３の近傍に設置され、前記エバポレータ８１の下方には水収集盤８２が設けてあり、蒸発しない水が一定高さに溜まったと、前記水が前記エバポレータ８１から流出して前記水収集盤８２に収集され、空気通路４５を曲がりにするために、前記仕切片４２は前記空気供給チェンバー４の内壁面の両側に交錯に設置され、そうすると、圧縮空気が空気供給チェンバー４を通過する距離は数倍に増加し、ひいては圧縮空気が空気供給チェンバー４内に停留する時間は長くなり、圧縮空気と仕切片４２の接触面積は増加になり、熱交換効果は向上になる。
【００１４】
前記空気供給チェンバー４と前記エアーコンプレッサー組３の間には、圧縮空気の輸送と冷却をするための湾折管３１が設けてあり、前記湾折管３１は全長が長くて一部または全部の外周面に放熱伝導片３２が設けてあり、これにより、圧縮空気の熱交換効果が向上になり、また、前記空気供給チェンバー４の内部には温度センサー（図示せず）が設けてあり、前記温度センサーは、制御ボックス２と電気的に連結し、前記空気供給チェンバー４を通過する圧縮空気の温度を検知し、前記圧縮空気の温度が高すぎると、電気信号を前記制御ボックス２に伝送して前記制御ボックス２により冷却片５への電力供給を切り加熱を停止する。
【００１５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１６】
【図１】本考案の正面図である。
【図２】本考案に係る空気供給チェンバーの上面図である。
【図３】図２の一部の拡大図である。
【図４】本考案に係る空気供給チェンバーの分解斜視図である。
【図５】従来のものの構造を示す概略図である。
【符号の説明】
【００１７】
（本考案の部分）
１        空気供給機              ２        制御ボックス
３        エアーコンプレッサー組
３１      湾折管                  ３２      放熱伝導片
４        空気供給チェンバー      ４１      インテンク穴
４２      仕切片                  ４３      排気穴
４４      排水穴                  ４４１    管体
４５      空気通路                ５        冷却片
６        放熱フィン              ７        冷却ファン
８１      エバポレータ            ８２      水収集盤
（従来の部分）
９１      空気供給機              ９２      制御ボックス
９２１    パワーサプライ          ９２２    制御スイッチ
９３      空気供給チェンバー      ９３１    冷却片
９３２    放熱フィン              ９３３    冷却ファン
９４      エヤーポンプ            ９５      排気待機箇所
【図１】
0003120333.tif 000003
【図２】
0003120333.tif 000004
【図３】
0003120333.tif 000005
【図４】
0003120333.tif 000006
【図５】
0003120333.tif 000007